(57)【特許請求の範囲】
【請求項１】
上部の鴨居及び下部の敷居間で引戸を左右方向にスライドさせて開閉する引戸構造において、
上記引戸の上端部にガイドが取付固定され、
上記ガイドは、上方に開放されたガイド本体と、
上記ガイド本体に昇降可能に支持されたローラカバーと、
上記ローラカバーに水平前後方向のローラ軸を介して回転可能に支持されたローラと、
上記ローラがガイド本体の上面から突出する方向にローラカバーを付勢する付勢手段とを備え、
上記鴨居の下面には、上記ローラの幅よりも小さい幅を有しかつローラが転動しながら案内されるレール溝が設けられており、
ローラの外周には、半径方向外側に向かって幅方向中央側に傾斜する断面テーパ状とされかつ上記レール溝の開口側角部にそれぞれ当接可能な１対の円錐面が設けられていて、
上記付勢手段の付勢によって上記ローラの円錐面がそれぞれレール溝の開口側角部に押圧状態で当接するように構成されていることを特徴とする引戸構造。
【請求項２】
請求項１の引戸構造において、
ガイド本体に水平前後方向のガイド軸が設けられ、
ローラカバーは、上記ガイド軸に揺動可能に支持されることで昇降可能とされていることを特徴とする引戸構造。
【請求項３】
請求項１又は２の引戸構造において、
ローラ外周の両円錐面間に、該傾斜面よりもローラの半径方向外側にローラの全周に亘り突出して鴨居のレール溝内に嵌合する突出部が設けられていることを特徴とする引戸構造。
【請求項４】
請求項１〜３のいずれかの引戸構造において、
鴨居に、レール溝を底部に有しかつ引戸上端縁部を嵌合する掘込み部を設けたことを特徴とする引戸構造。
【請求項５】
請求項１〜４のいずれかの引戸構造において、
レール溝の開口側角部に、ローラの円錐面と略同じ傾斜角度で切り欠いてなる切欠部が設けられていることを特徴とする引戸構造。
【請求項６】
請求項２の引戸構造において、
付勢手段は、ローラカバーの下端部とガイド本体の内面とに亘ってガイド軸を中心とする円弧ライン上に位置するように彎曲されて縮装されたコイルばねであることを特徴とする引戸構造。
【請求項７】
請求項１〜６のいずれかの引戸構造において、
敷居の上面には敷居レールが設けられ、
引戸の下端部に、上記敷居レールに係合して転動しながら案内される敷居ローラが回転可能に支持されていることを特徴とする引戸構造。
【発明の詳細な説明】
【０００１】
【発明の属する技術分野】
本発明は、引戸において鴨居レールとの隙間によるがたつきを防ぐための構造を持つ引戸構造に関する技術分野に属する。
【０００２】
【従来の技術】
一般に、引戸は摺動によって左右方向に開閉される機構であるため、その引戸の上端部と鴨居との間に予め隙間をあけておかないと、引戸をスムーズに摺動させる動作が困難となる。そのため、上記隙間に起因して引戸がどうしてもがたつくという問題は避けられない。そして、このがたつきにより引戸の開閉がスムーズに行われなくなるだけでなく、開閉時に騒音の発生原因となる。
【０００３】
このような引戸のがたつきを防ぐ構造として、従来、実開昭６１―１７０６７９号公報に示される構造が提案されている。この提案のものは、図１２に示すように、鴨居レールａの溝底面に引戸ｂの上面に摺接するスライド板ｃをばねｄ，ｄ，…によって支持し、このばねｄ，ｄ，…のばね力によってスライド板ｃを下方に付勢して引戸ｂの上端面を押圧することで、引戸ｂのがたつきを防ぐようにしている。
【０００４】
また、この他、特開平５―１１３０７１号公報に示されるように、引戸の上端部に戸車をばねによって上方に付勢して取付支持し、この戸車を鴨居下面のレールに係合させるようにしたものや、実用新案登録第３０２１７０３号に示されるように、引戸の上端部に、前後側面がそれぞれ鴨居下面のレール溝の両側面に圧接するブロック体を取り付けたものが知られている。
【０００５】
【発明が解決しようとする課題】
しかし、上記第１の従来例（実開昭６１―１７０６７９号公報）の構造では、ばねｄ，ｄ，…の付勢力によって引戸ｂを下方向にのみ押圧するので、その上下方向のがたつきは防止できるものの、その反面で引戸ｂのスムーズな摺動が妨げられるという欠点があった。また、開閉時における引戸ｂの前後方向（その摺動方向に対し左右方向）のがたつきは抑えることができない。
【０００６】
また、第２の従来例（特開平５―１１３０７１号公報）では、引戸のスムーズな移動及び上下方向のがたつき防止は得られるものの、引戸の前後方向のがたつきは防止することは困難である。
【０００７】
さらに、第３の従来例（実用新案登録第３０２１７０３号）では、引戸の前後方向のがたつきは防止できるが、上下方向のがたつきを防止することはできないという問題がある。
【０００８】
本発明は斯かる諸点に鑑みてなされたもので、その目的は、引戸の構造を改良することで、引戸のスムーズな摺動を実現しながら、その上下及び前後方向の双方のがたつきを同時に抑え得るようにすることにある。
【０００９】
【課題を解決するための手段】
上記の目的を達成するために、この発明では、引戸側に回転可能なローラを上方に付勢した状態で設け、このローラの外周面に断面先細りテーパ形状の１対の円錐面を形成する一方、鴨居にはローラの幅よりも狭いレール溝を形成し、このレール溝の開口側角部にそれぞれローラの円錐面を接触させながら該ローラを転動させることで、引戸の上下及び前後方向の双方のがたつきを抑えるようにした。
【００１０】
具体的には、請求項１の発明では、上部の鴨居及び下部の敷居間で引戸を左右方向にスライドさせて開閉する引戸構造において、上記引戸の上端部にガイドを取付固定する。このガイドは、上方に開放されたガイド本体と、このガイド本体に昇降可能に支持されたローラカバーと、このローラカバーに水平前後方向のローラ軸を介して回転可能に支持されたローラと、このローラがガイド本体の上面から突出する方向にローラカバーを回動付勢する付勢手段とを備える。
【００１１】
一方、鴨居の下面には、上記ローラの幅よりも小さい幅を有しかつローラが転動しながら案内されるレール溝を設ける。そして、ローラの外周に、半径方向外側に向かって幅方向中央側に傾斜する断面テーパ状とされかつレール溝の開口側角部にそれぞれ当接可能な１対の円錐面を設け、上記付勢手段の付勢によって該ローラの円錐面がそれぞれレール溝の開口側角部に押圧状態で当接するように構成する。
【００１２】
この構成により、付勢手段によるローラカバーへの付勢力によりローラがガイド本体の上面から突出するように付勢されているので、引戸の開閉時、このローラが鴨居下面のレール溝に案内されながら転動し、このことで引戸をスムーズに摺動させて開閉することができる。
【００１３】
そして、上記レール溝の幅はローラの幅よりも小さく、ローラの外周には１対の円錐面が形成されているので、上記付勢手段によってローラが上方に付勢されている状態では、ローラの円錐面がそれぞれレール溝の開口側角部に押圧状態で当接する。このローラの両円錐面は、ローラの半径方向外側に向かって幅方向中央側に傾斜する断面テーパ状であるので、両円錐面がそれぞれレール溝の開口側角部を押圧する押圧力は上方への分力と水平前後方向への分力とに分かれる。この両円錐面での分力により引戸は上下方向及び前後方向に押圧支持されることとなり、その引戸の両方向のがたつきを同時に抑えることができる。
【００１４】
また、このようにローラ外周の円錐面により、付勢手段によるローラの付勢力が上方向だけでなく水平前後方向にも伝わることから、仮に引戸に対し前後方向に移動させる力がかかって引戸の上端部が前後方向に移動したときには、一方の円錐面の押圧力が他方の円錐面よりも大きくなって両者のバランスが崩れるので、その引戸は上記付勢力により両円錐面による押圧力がバランスするよう常に自動的に前後方向の中央に戻るようになる。このため、引戸を常に安定して摺動させることができる。
【００１５】
請求項２の発明では、ガイド本体に水平前後方向のガイド軸を設け、ローラカバーは、上記ガイド軸に揺動可能に支持されることで昇降可能に構成する。このようにローラがガイド軸回りに回動して昇降するので、ローラの昇降動作がスムーズに行われる。
【００１６】
請求項３の発明では、上記ローラ外周の両円錐面間に、該傾斜面よりもローラの半径方向外側にローラの全周に亘り突出して鴨居のレール溝内に嵌合する突出部を設ける。
【００１７】
このようにローラ外周の突出部が鴨居のレール溝内に嵌合することで、仮に引戸に水平前後方向の大きな力がかかっても、ローラが鴨居のレール溝から外れるいわゆる脱輪状態に至るのを有効に防止することができる。
【００１８】
請求項４の発明では、上記鴨居に、レール溝を底部に有しかつ引戸上端縁部を嵌合する掘込み部を設ける。こうすれば、引戸の上端縁部が掘込み部に嵌合されて前後方向に係止されるので、万一、ローラがレール溝から外れても引戸自体が鴨居から完全に外れるのを効果的に防止することができる。しかも、引戸の上端縁部がローラと共に掘込み部内に隠蔽されて外側から見えなくなり、引戸上端部と鴨居との間の外観見映えを向上させることができる。
【００１９】
請求項５の発明では、レール溝の開口側角部に、ローラの円錐面と略同じ傾斜角度で切り欠いてなる切欠部を設ける。このことで、互いに当接するレール溝の開口側角部とローラの円錐面とが線接触又は面接触することとなり、引戸の上下及び前後方向の双方のがたつきをより一層少なくすることができる。
【００２０】
請求項６の発明では、上記請求項２の引戸構造において、付勢手段は、ローラカバーの下端部とガイド本体の内面に亘ってガイド軸を中心とする円弧ライン上に位置するように彎曲されて縮装されたコイルばねとする。すなわち、ローラ及びローラカバーはガイド軸を中心として円運動をするが、この円運動の軌跡に対応するようにばねが配置されているので、コイルばねの収縮ストロークを長く確保して、ローラのガイド軸を中心とした円運動をスムーズに行うことができる。
【００２１】
請求項７の発明では、請求項１〜６のいずれかの引戸構造において、敷居の上面に敷居レールを設け、引戸の下端部に、上記敷居レールに係合して転動しながら案内される敷居ローラを回転可能に支持する。こうすれば、引戸の開閉時の移動をさらにスムーズに行うことができる。
【００２２】
【発明の実施の形態】
（実施形態１）
図６〜図８は本発明の実施形態１に係る引戸構造を示し、１は引戸枠で、その上部にレール３（鴨居レール）を有する鴨居２が、下部にレール（敷居レール）を有する敷居（いずれも図示せず）がそれぞれ設けられている。
【００２３】
１０は引戸で、図示しないが、その下端部の左右方向両端には、上記敷居レールに係合した状態で転動する公知の敷居ローラ（戸車）が回転可能に支持されている。一方、引戸１０の上端部は鴨居レール３にそれぞれ摺動可能に係合されており、この引戸１０は引戸枠１内で左右方向にスライドされて開閉される。
【００２４】
上記引戸１０の上端部の左右方向両端には引戸１０の上端部を鴨居レール３に沿って案内するためのガイド１４，１４（左側のもののみを図示する）が取付固定されている。すなわち、引戸１０の左右端部の隅角部には、その前後方向（厚さ方向）の中間部を引戸１０の側面から上面にかけて所定厚さに亘り矩形状に切り欠いてなるガイド取付部１２が形成され、この取付部１２にガイド１４が嵌合されて固定されている。
【００２５】
上記ガイド１４は、上方に開放された例えば樹脂製の矩形箱状のガイド本体１５を備え、このガイド本体１５は、その左右方向（引戸１０の移動方向）に対向する１対の側壁１５ａ，１５ｂのうち引戸１０外側に位置する外側側壁１５ａの外面が引戸１０の左右方向の側面に、またガイド本体１５の上面が引戸１０の上面にそれぞれ面一となるように上記ガイド取付部１２に嵌合されている。
【００２６】
図１〜図４に詳示するように、ガイド本体１５の外側側壁１５ａの外面下部にはガイド本体１５の底壁を経て内側側壁１５ｂの外面まで貫通するねじ挿通孔１６が形成されている。また、内側側壁１５ｂの内面上端部にはＬ字状の板材からなる固定金具１７がその垂直部１７ａにて係合や接合等により一体的に取付固定され、この固定金具１７の水平部１７ｂはガイド本体１５内から外部に突出した後にガイド本体１５から離れるように水平左右方向に引戸１０の上端面上に延び、この水平部１７ｂには２つのねじ孔１８，１８が貫通形成されている。そして、図８に示す如く、上記ねじ挿通孔１６に長寸法のねじ１９を挿通してその先端部を引戸１０におけるガイド取付部１２の内側面に螺合締結するとともに、固定金具１７の各ねじ孔１８にねじ２０を挿通してそれを引戸１０の上端面に螺合締結することで、ガイド本体１５（ガイド１４）を引戸１０に取付固定するようにしている。
【００２７】
ガイド本体１５内の上端部にはその外側側壁１５ａの近傍に、前後方向の両側壁に掛け渡された状態で水平前後方向に延びるガイド軸２１が配置固定され、このガイド軸２１にはローラカバー２２の端部が鉛直面内で揺動可能に支持されている。このローラカバー２２は上方に開放された略袋形状のもので、その上端部には、例えば１０〜１５ｍｍの幅Ｗｒ（図５参照）を有する略円板状のローラ２３がその略下半部をローラカバー２２内に収容した状態で水平前後方向のローラ軸２７により回転可能に支持されている。この構造により、ローラ２３がローラカバー２２を介してガイド軸２１回りに揺動可能につまり昇降可能にガイド本体１５に支持されており、このローラ２３は、ガイド軸２１回りに図１で反時計回り方向に回動したときにガイド本体１５から突出する一方、時計回り方向に回動したときにガイド本体１５内に没入する。また、ローラ２３は、このように上下方向に揺動するが、前後方向にはガイド本体１５に対し相対移動不能に支持されている。
【００２８】
そして、上記ローラカバー２２の下端部外面には円柱状のばね止め２２ａが一体に突設されている。一方、ガイド本体１５内面に臨む外側側壁１５ａ下端部にも同様のばね止め１５ｃが一体に突設されている。そして、これらの両ばね止め１５ｃ，２２ａ間には圧縮ばねとしてのコイルばね２８が上記ガイド軸２１を中心とする円弧ラインＬ上に略位置するように彎曲されて縮装されている。このコイルばね２８の各端部はそれぞれ上記ばね止め１５ｃ，２２ａに外嵌合されて係止されており、このコイルばね２８により、ローラ２３がガイド本体１５の上面から突出するようにローラカバー２２（ローラ２３）を回動付勢している。
【００２９】
さらに、図７に示すように、上記引戸枠１の鴨居レール３は２段の掘込み構造とされている。すなわち、鴨居レール３は、鴨居２下面に形成されて引戸１０の上端縁部を遊嵌合する凹溝からなる掘込み部４を備え、この掘込み部４の底面中央部にはレール溝５が凹設されている。このレール溝５は上記引戸１０側のガイド１４におけるローラ２３が転動しながら案内されるもので、その溝幅Ｗｔはローラ２３の幅Ｗｒよりも小（Ｗｔ＜Ｗｒ）に設定されている。
【００３０】
一方、図５にも拡大詳示するように、上記ローラ２３はその外周部が断面略Ｙ字状に形成されたＹ型ローラとされている。すなわち、ローラ２３の外周には、その幅方向の中央部にローラ２３の全周に亘り連続して半径方向外側に突出する突出部としての断面矩形状のリング部２４と、このリング部２４基部（小径側端部）の前後両側に連続し、ローラ２３の半径方向外側に向かって幅方向中央側（リング部２４側）に所定角度θ（例えばθ＝４５°）で傾斜する断面テーパ状の１対の円錐面２５，２５とが形成されている。上記リング部２４の幅Ｗｎは上記鴨居２のレール溝５の幅Ｗｔよりも小さくて（Ｗｎ＜Ｗｔ）、このリング部２４がレール溝５内に嵌合している。そして、ローラ２３の円錐面２５，２５はそれぞれレール溝５の開口側角部６，６に当接するようになっている。
【００３１】
尚、図中、１５ｄはガイド本体１５内面の外側側壁１５ａの上端部に突設されたストッパで、ローラ２３（ローラカバー２２）の下降端位置を規制するものである。
【００３２】
したがって、この実施形態の引戸構造においては、引戸１０を引戸枠１に組み付ける場合、通常の引戸と同様に、引戸１０を持ち上げてその上端部を鴨居レール３に係合させ、次いで、引戸１０下端部の敷居ローラを敷居レールに上載して係合させればよい。その際、引戸１０の持上げに伴い、その上端部が鴨居レール３の掘込み部４に嵌挿され、ガイド１４におけるローラ２３がコイルばね２８の付勢力に抗してガイド本体１５内に押し戻されながら、そのリング部２４が掘込み部４底面のレール溝５に嵌合される。
【００３３】
このようにして組み付けた後に引戸１０を開閉のために左右方向に移動させると、その下端部の敷居ローラが敷居レール上で転動し、また上端部が鴨居レール３により摺動し、このことで引戸１０が開閉される。
【００３４】
この場合、上記ローラ２３はコイルばね２８によりローラカバー２２を介してガイド本体１５の上面から突出するように付勢されているので、上記引戸１０の開閉時、このローラ２３は絶えず鴨居レール３のレール溝５に係合して、そのレール溝５に案内されながら転動する。このローラ２３の転動しながらの案内作用により引戸１０をスムーズに摺動させて開閉することができる。しかも、引戸１０の下端部に、敷居上面の敷居レールに係合して転動しながら案内される敷居ローラが設けられているので、引戸１０の開閉動作をさらにスムーズに行わせることができる。
【００３５】
また、上記レール溝５の幅Ｗｔはローラ２３の幅Ｗｒよりも小さく、ローラ２３の外周には１対の円錐面２５，２５が形成されているので、上記コイルばね２８によってローラ２３がガイド軸２１回りに図８で反時計回り方向に回動して上方に付勢されている状態では、ローラ２３の両円錐面２５，２５がそれぞれレール溝５の開口側角部６，６に押圧状態で当接する。このローラ２３の円錐面２５，２５は、ローラ２３の半径方向外側に向かって幅方向中央側に傾斜する断面テーパ状であるので、図５に示すように、両円錐面２５，２５がそれぞれレール溝５の開口側角部６，６を押圧する押圧力Ｆ，Ｆはいずれも上方への分力Ｆ１と水平前後方向への分力Ｆ２とに分かれる。この両円錐面２５，２５に対する分力Ｆ１，Ｆ２により引戸１０は上下方向及び前後方向に押圧支持されることとなり、その引戸１０の上下及び前後両方向の双方のがたつきを同時に抑えることができる。
【００３６】
また、このようにローラ２３外周の円錐面２５，２５により、コイルばね２８によるローラ２３の付勢力が上方向だけでなく水平前後方向にも伝わることから、図９に示す如く、仮に引戸１０に対し前後方向に移動させる力がかかって引戸１０の上端部が前後方向に位置ずれしたとしても、一方の円錐面２５の押圧力Ｆが他方の円錐面２５の押圧力Ｆよりも大きくなって両者のバランスが崩れる。このため、その引戸１０は上記付勢力により両円錐面２５，２５による押圧力Ｆ，Ｆがバランスするよう常に自動的に前後方向の中央に戻るようになり、その結果、引戸１０を常に安定して摺動させることができる。
【００３７】
さらに、上記ローラ２３外周の両円錐面２５，２５間にそれよりも大径のリング部２４が形成され、このリング部２４が鴨居レール３のレール溝５内に嵌合しているので、引戸１０の表面から水平前後方向の力がかかっても、リング部２４のレール溝５への嵌合がある限り、ローラ２３がレール溝５から外れる脱輪状態に至ることはない。
【００３８】
また、上記鴨居レール３は、引戸１０上端縁部を嵌合する掘込み部４と、その底面に形成されたレール溝５とからなる２段構造であるので、引戸１０の上端縁部を掘込み部４への嵌合により前後方向に係止でき、仮に、上記ローラ２３がレール溝５から外れても引戸１０自体が鴨居レール３から完全に外れるのを防止できる。また、引戸１０の上端縁部がローラ２３と共に掘込み部４内に隠蔽されるので、引戸１０の上端部と鴨居２との間の外観見映えを向上させることができる。
【００３９】
また、上記コイルばね２８は、ローラ２３カバー２２の下端部とガイド本体１５の内面との間に縮装されて、ガイド軸２１を中心とする円弧ラインＬ上に位置するように彎曲されているので、ローラ２３のガイド軸２１を中心とした円運動の軌跡に対応してコイルばね２８が配置されて、その収縮ストロークを長く確保でき、ローラ２３のガイド軸２１を中心とした円運動をスムーズに行うことができる。
【００４０】
しかも、上記ローラ２３を軸支したローラカバー２２は、ガイド本体１５のガイド軸２１に揺動可能に支持されて昇降するので、上記ローラ２３のスムーズな昇降動作を確保することができる。
【００４１】
（実施形態２）
図１０は本発明の実施形態２を示す（尚、図１〜図４、図６〜図８と同じ部分については同じ符号を付してその詳細な説明は省略する）。
【００４２】
この実施形態では、鴨居レール３におけるレール溝５の開口側角部６，６に、ローラ２３の円錐面２５，２５と略同じ傾斜角度で切り欠いてなる切欠部７，７が形成されており、この両切欠部７，７にそれぞれローラ２３の円錐面２５，２５が接触するようになっている。その他は上記実施形態１と同様の構成である。
【００４３】
したがって、この実施形態の場合、ローラ２３の円錐面２５，２５がそれぞれレール溝５の開口側角部６，６に接触する際、そのレール溝５の開口側角部６，６に形成した切欠部７，７がローラ２３の円錐面２５，２５と略同じ傾斜角度であるので、これらレール溝５の開口側角部６，６とローラ２３の円錐面２５，２５とは線接触又は面接触するようになり、よって、引戸１０の上下及び前後方向の双方のがたつきをさらに少なくすることができる。
【００４４】
（実施形態３）
図１１は実施形態３を示し、上記実施形態１ではガイド１４のローラ２３をＹ型ローラとしたのに対し、ローラ２３をその外周部が断面略Ｖ字状に形成されたＶ型ローラとしたものである。
【００４５】
すなわち、この実施形態では、リング部２４の外周に上記実施形態１の如きリング部２４はなく、両円錐面２５，２５はローラ２３の幅方向中央において互いに直接連続されている。その他の構成は実施形態１と同様である。
【００４６】
この実施形態では、ローラ２３の確実な脱輪防止効果を期待できないが、それを除き、実施形態１と同様の作用効果を奏することができる。
【００４７】
尚、上記各実施形態では、ガイド１４におけるローラ２３の付勢手段として、ガイド軸２１を中心とする円弧ラインＬ上に位置するコイルばね２８を用いているが、その他のばねを用いてもよく、例えばガイド軸２１周りに取り付けた捩りばねでもよい。しかし、ローラ２３をスムーズに回動させるためには、実施形態のようにコイルばね２８を用いるのが好ましい。
【００４８】
また、上記実施形態では、鴨居レール３を掘込み部４とその底面のレール溝５との２段構造としているが、必ずしも掘込み部４は必要なく、見映えの向上が不要である場合には、鴨居２にレール溝５のみを形成した構造でもよい。また、レール溝５も鴨居２下面に形成した凹溝で構成する必要はなく、鴨居２下面に断面コ字状のレールを下方に開口するように配置して固定するのみの構造でもよい。
【００４９】
さらに、上記実施形態１，２では、ローラ２３外周の突出部として、そのローラ２３全周に亘り連続して突出する断面矩形状のリング部２４を設けているが、この突出部は連続させずに不連続に突出させてもよい。
【００５０】
【発明の効果】
以上説明した如く、請求項１の発明によると、引戸の上端部に、上方に開放されたガイド本体を備えたガイドを取付固定し、そのガイド本体にローラカバーを昇降可能に支持し、このローラカバーに水平前後方向のローラ軸を介してローラを回転可能に支持し、ローラがガイド本体の上面から突出するようにローラカバーを付勢する付勢手段を設ける一方、鴨居下面に、ローラの幅よりも小さい幅を有しかつローラが転動しながら案内されるレール溝を設け、ローラの外周に、半径方向外側に向かって幅方向中央側に傾斜する断面テーパ状とされかつレール溝の開口側角部にそれぞれ当接可能な１対の円錐面を設け、これらの円錐面が付勢手段の付勢によってそれぞれレール溝の開口側角部に押圧状態で当接するようにしたことにより、引戸の開閉時にローラを鴨居のレール溝で案内させながら転動させて引戸の開閉動作のスムーズ化及びその安定化を図るとともに、ローラの円錐面がレール溝の開口側角部を押圧する押圧力による上方及び水平前後方向への両分力により引戸を上下及び前後方向に押圧支持でき、その引戸の両方向のがたつきの防止化を図ることができる。
【００５１】
請求項２の発明によると、ガイド本体に水平前後方向のガイド軸を設け、ローラカバーをガイド軸に揺動可能に支持して昇降可能としたことにより、ローラの昇降動作のスムーズ化を図ることができる。
【００５２】
請求項３の発明によると、ローラ外周の両円錐面間にレール溝内に嵌合する突出部を設けたことにより、ローラが鴨居のレール溝から外れる脱輪を有効に防止できる。
【００５３】
請求項４の発明によると、鴨居に、引戸上端縁部を嵌合する掘込み部を設けたことにより、引戸自体が鴨居から完全に外れるのを防止できるとともに、引戸の上端縁部をローラと共に掘込み部内に隠蔽して引戸上端部と鴨居との間の外観見映えの向上を図ることができる。
【００５４】
請求項５の発明によると、レール溝の開口側角部に、ローラの円錐面と略同じ傾斜角度の切欠部を設けたことにより、引戸の上下及び前後方向の双方のがたつきのより一層の低減を図ることができる。
【００５５】
請求項６の発明によると、付勢手段を、ローラカバーの下端部とガイド本体の内面に亘ってガイド軸を中心とする円弧ライン上に位置するように彎曲されて縮装されたコイルばねとしたことにより、ローラの円運動をスムーズに行わせて作動安定性及び信頼性の向上を図ることができる。
【００５６】
請求項７の発明によると、敷居上面に敷居レールを設ける一方、引戸の下端部に、敷居レールに係合して転動しながら案内される敷居ローラを回転可能に支持したことにより、引戸の開閉移動のより一層のスムーズ化を図ることができる。
【図面の簡単な説明】
【図１】図３のＩ−Ｉ線断面図である。
【図２】本発明の実施形態１に係るガイドの正面図である。
【図３】ガイドの平面図である。
【図４】ガイドの側面図である。
【図５】ローラがレール溝に嵌合している状態を示す拡大側面図である。
【図６】ガイドの使用状態を示す正面図である。
【図７】ガイドの使用状態を示す側面図である。
【図８】図７のVIII−VIII線断面図である。
【図９】引戸上端部が前後方向にずれた状態を示す要部断面図である。
【図１０】本発明の実施形態２を示す要部断面図である。
【図１１】本発明の実施形態３を示す図４相当図である。
【図１２】従来例を示す要部断面図である。
【符号の説明】
１  引戸枠
２  鴨居
３  鴨居レール
４  掘込み部
５  レール溝
Ｗｔ  レール溝幅
６  開口側角部
７  切欠部
１０  引戸
１４  ガイド
１５  ガイド本体
２１  ガイド軸
２２  ローラカバー
２３  ローラ
Ｗｒ  ローラ幅
２４  リング部（突出部）
Ｗｎ  リング部幅
２５  円錐面
２７  ローラ軸
２８  コイルばね
Ｌ  円弧ライン
【図１】
0003907249.tif 000002
【図２】
0003907249.tif 000003
【図３】
0003907249.tif 000004
【図４】
0003907249.tif 000005
【図５】
0003907249.tif 000006
【図６】
0003907249.tif 000007
【図７】
0003907249.tif 000008
【図８】
0003907249.tif 000009
【図９】
0003907249.tif 000010
【図１０】
0003907249.tif 000011
【図１１】
0003907249.tif 000012
【図１２】
0003907249.tif 000013